(57)【要約】【課題】  軒樋及び化粧カバーの取り外しを別々に容易に行いうる。軒樋や化粧カバーの設計の自由度を広げ、かつ屋根仕上げ材の厚さの違いに対応しうる。【解決手段】    軒樋３の化粧カバー２が、軒樋３のものとは別のブラケット４により、家屋の軒先６に固定される。【選択図】図１
2018168636.tif 000002
【特許請求の範囲】
【請求項１】
軒樋の化粧カバーが、前記軒樋のものとは別のブラケットにより、家屋の軒先に固定される軒樋の化粧カバー取り付け構造。
【請求項２】
前記化粧カバーは、最も高所となる最高さ点と、この最高さ点から前記軒樋の外部にのびる第１傾斜面と、最高さ点から前記軒樋の内部にのびる第２傾斜面とを含む請求項１記載の軒樋の化粧カバー取り付け構造。
【請求項３】
前記化粧カバーは、この化粧カバーと前記軒樋とが直接接触するのを防止する緩衝部材を具える請求項１又は２記載の軒樋の化粧カバー取り付け構造。
【請求項４】
前記軒樋を固定するブラケットと、前記化粧カバーを固定するブラケットとは、共通の固定具にて前記家屋の軒先に固定される請求項１〜３の何れかに記載の軒樋の化粧カバー取り付け構造。
【発明の詳細な説明】
【技術分野】
【０００１】
本発明は、軒樋とは別のブラケットを用いて化粧カバーを固定する軒樋の化粧カバー取り付け構造に関する。
【背景技術】
【０００２】
下記の特許文献１には、軒樋及び化粧カバーを、それぞれ別々に取り外し可能な軒樋装置が提案されている。
【０００３】
しかし、この提案の軒樋装置では、軒樋を取り付けるための軒樋吊具に、化粧カバーを取り付けるためのカバー材支持部を一体に形成している。そのため、この軒樋装置に取り付けできる軒樋や化粧カバーの形状に制約を受け、設計の自由度を損ねるという問題がある。
【０００４】
また家屋のデザインの多様化にともない、野地板上に配される屋根仕上げ材においても、その厚さが相違するものが種々提案されている。しかし、前記軒樋装置では、カバー材支持部と軒樋吊具とが一体に形成されているため、屋根仕上げ材の厚さの違いに対応して、軒樋に対する化粧カバーの相対的な取り付け高さを違えることができない。そのため、屋根仕上げ材の厚さに応じて、軒樋装置或いは化粧カバーを準備する必要があり、品種の増加を招く。
【先行技術文献】
【特許文献】
【０００５】
【特許文献１】特開２００３−１４７９２０号公報
【発明の概要】
【発明が解決しようとする課題】
【０００６】
本発明は、以上のような実状に鑑み案出されたもので、軒樋及び化粧カバーの取り外しを別々に容易に行いうるとともに、軒樋や化粧カバーの設計の自由度を広げ、かつ屋根仕上げ材の厚さの違いに対応しうる軒樋の化粧カバー取り付け構造を提供することを主たる目的としている。
【課題を解決するための手段】
【０００７】
本発明は、軒樋の化粧カバーが、前記軒樋のものとは別のブラケットにより、家屋の軒先に固定されることを特徴としている。
【０００８】
本発明に係る軒樋の化粧カバー取り付け構造では、前記化粧カバーは、最も高所となる最高さ点と、この最高さ点から前記軒樋の外部にのびる第１傾斜面と、最高さ点から前記軒樋の内部にのびる第２傾斜面とを含んでもよい。
【０００９】
本発明に係る軒樋の化粧カバー取り付け構造では、前記化粧カバーは、この化粧カバーと前記軒樋とが直接接触するのを防止する緩衝部材を具えてもよい。
【００１０】
本発明に係る軒樋の化粧カバー取り付け構造では、前記軒樋を固定するブラケットと、前記化粧カバーを固定するブラケットとは、共通の固定具にて前記家屋の軒先に固定されてもよい。
【発明の効果】
【００１１】
本発明では、軒樋と化粧カバーとが、それぞれ別々のブラケットにより軒先に固定される。従って、軒樋及び化粧カバーのブラケットへの取り付け取り外しを別々に容易に行うことができる。
【００１２】
又化粧カバーの設計に際して、軒樋のブラケットによる制約がなく、逆に、軒樋の設計に際して、化粧カバ−のブラケットによる制約がない。そのため、化粧カバー及び軒樋の設計の自由度を広げることができる。又、化粧カバーと軒樋とを、いろいろ組み合わせて取り付けることが可能となり、デザインの多様化に貢献しうる。
【００１３】
また別々のブラケットを使用するため、例えば屋根仕上げ材の厚さに応じて、軒樋に対する化粧カバーの相対的な取り付け高さを違えることができる。
【図面の簡単な説明】
【００１４】
【図１】本発明の一実施形態の軒樋の化粧カバー取り付け構造を示す断面図である。
【図２】軒樋用のブラケット及び化粧カバー用のブラケットの取り付き状態を示す分解斜視図である。
【図３】（Ａ）、（Ｂ）は化粧カバー用のブラケットを示す断面図、及び正面図である。
【図４】（Ａ）は化粧カバーを示す断面図、（Ｂ）は化粧カバーの取り付け状態を示す平面図である。
【図５】（Ａ）は軒樋用のブラケットを示す側面図、（Ｂ）は軒樋を示す断面図である。
【図６】化粧カバーの取り付け状態を示す拡大断面図である。
【発明を実施するための形態】
【００１５】
以下、本発明の実施の形態について、詳細に説明する。
図１に示すように、本実施形態の軒樋の化粧カバー取り付け構造では、化粧カバー２が、軒樋３のブラケット５とは別のブラケット４により、家屋の軒先６に固定される。
【００１６】
軒先６の構造としては、特に規制されることがなく、本例では、軒先側に向かって傾斜する複数の垂木１０上に、野地板１１及び屋根仕上げ材１２が敷設された傾斜屋根の軒先が示される。軒先６では、その前面が、軒先方向Ｆｘ（図２に示す）にのびる横板である鼻隠し１３により被覆される。また鼻隠し１３により、前記垂木１０の前端部、及び軒天井１４の前端部がそれぞれ支持される。
【００１７】
本例では、鼻隠し１３の前面には、軒先化粧カバー１５が配される。軒先化粧カバー１５は、野地板１１の下面位置から下方にのびる。又軒先化粧カバー１５の下端部には、鼻隠し１３の下端面、及び軒天井１４の前端面と下面とを目隠しする被覆部１５Ａが形成される。なお図中の符号１６は水切り板であり、傾斜屋根からの雨水を、軒樋３の内部に誘導する。
【００１８】
そして、前記軒先６の鼻隠し１３に、化粧カバー２と軒樋３とが、それぞれ別々のブラケット４、５により固定される。便宜上、化粧カバー２を固定するためのブラケット４を第１ブラケット４、軒樋３を固定するためのブラケット５を第２ブラケット５と呼ぶ場合がある。
【００１９】
図２、図５（Ａ）に示すように、第２ブラケット５は、例えば合成樹脂の成形品であって、例えば略矩形板状の固定部２２と、この固定部２２から前方にのびるアーム部２３とを一体に具える。固定部２２は、例えばネジである固定具２１により、軒先６（本例では鼻隠し１３）に固定される。
【００２０】
前記アーム部２３は、固定部２２からのびるアーム本体２３Ａの前端部に、前方に向かって上方に傾斜する上傾斜部２３Ｂを有する。この上傾斜部２３Ｂの先端部に、軒樋３の前耳部３３ｆ（図５（Ｂ）に示す）を係止しうるフック状の前耳係止部２４が形成される。
【００２１】
又アーム本体２３Ａは、その中央側に配される中空部分Ｈにより、上下のアーム部分２５、２６に区分され、軽量化が図られる。下のアーム部分２６の後端部には、軒樋３の後耳部３３ｒ（図５（Ｂ）に示す）を係止しうるフック状の後耳係止部２７が形成される。なお下のアーム部分２６の下面には、後耳係止部２７から前方に向かって下方に傾斜するガイド部２９ａが配される。このガイド部２９ａは、軒樋３を第２ブラケット５に取り付ける際、後耳部３３ｒを後耳係止部２７に案内する。なお前記上傾斜部２３Ｂは、前耳部３３ｆを前耳係止部２４に案内するガイド部２９ｂを構成している。又下のアーム部分２６の下面には、軒樋３の変形を防止する脚片部２８を突設している。
【００２２】
図５（Ｂ）に示すように、軒樋３は、底板部３０と、この底板部３０の前後で立ち上がる前板部３１、後板部３２とを有する断面Ｕ字状をなす。本例では、後板部３２は、鼻隠し１３に沿って略垂直に立ち上がるとともに、その上端部に、前記後耳部３３ｒを具える。前板部３１は、前記上傾斜部２３Ｂと略同勾配で傾斜するとともに、その上端部に、前記前耳部３３ｆを具える。本例では、底板部３０と前板部３１との間に段差部３４を有し、この段差部３４に、第２ブラケット５の前記脚片部２８が当接することで、軒樋３の前後方向の変形が防止される。なお底板部３０の下面と軒天井１４の下面とが、ほぼ同高さとなるように、第２ブラケット５が軒先６に固定されるのが好ましい。
【００２３】
図２、３に示すように、第１ブラケット４は、例えば略矩形板状の固定部３５と、この固定部３５から前方にのびるアーム部３６とを一体に具える。固定部３５は、例えばネジである固定具２１により、軒先６（本例では鼻隠し１３）に固定される。本例では、第１ブラケット４と第２ブラケット５とが、共通の固定具２１にて軒先６に固定される場合が示される。この場合、軒樋３に対する化粧カバー２の相対的な取り付け高さを調整可能とするために、固定部２２に設ける固定具挿通用の孔部１７、又は固定部３５に設ける固定具挿通用の孔部１７の一方を、上下に長い長穴１７Ａで形成する。なお第１ブラケット４と第２ブラケット５とを別々に固定する場合には、長穴にする必要はない。
【００２４】
前記アーム部３６は、第２ブラケット５のアーム部２３よりも上方側に配される。本例では、アーム部３６は、前記固定部３５から前方に向かって例えば下傾斜でのびるアーム本体３７と、このアーム本体３７の前端に設ける化粧カバー用の取り付け部３８とを具える。
【００２５】
前記取り付け部３８は、アーム本体３７の前端から略垂直に立ち上がる第１曲げ部３８ａと、第１曲げ部３８ａの上端から前方に向かって上傾斜でのびる第２曲げ部３８ｂと、第２曲げ部３８ｂの前端から前方に向かって下傾斜でのびる第３曲げ部３８ｃとを具える。本例では、第１ブラケット４の巾方向（軒先方向Ｆｘ）両側に、固定部３５、アーム本体３７、第１曲げ部３８ａ、及び第２曲げ部３８ｂに沿ってのびる側板状の補強片３９が設けられる。なお補強片３９は、第１ブラケット４の一方側のみに設けることができ、又第１ブラケット４の巾方向中央側に設けることもできる。
【００２６】
第１ブラケット４は、図４（Ｂ）に示すように、軒先方向Ｆｘに所定のピッチ間隔Ｐ（例えば９００mm）で取り付き、化粧カバー２を複数箇所で支持する。
【００２７】
図６に示すように、化粧カバー２は、折れ板状をなし、本例では、第１曲げ部３８ａに接する第１面部４０と、第２曲げ部３８ｂに接する第２面部４１と、第３曲げ部３８ｃに接する第３面部４２とを含んで構成される。
【００２８】
詳しくは、前記第３面部４２は、第３曲げ部３８ｃの後端を超えて後方にのびることにより第２曲げ部３８ｂと離間する後の延出部分４２ｒを有する。この後の延出部分４２ｒは、その後端から略直角に折れ曲がる下傾斜の継ぎ面部４３を介して第２面部４１と連結する。
【００２９】
又第３面部４２は、第３曲げ部３８ｃの前端を超えて前方にのびる前の延出部分４２ｆを有する。この前の延出部分４２ｆの前端には、軒樋３の前面の上端側を被覆して化粧を施すカバー面部４４が形成される。なお本例では、第３面部４２の裏面に、第１ブラケット４の前記取り付け部３８の前端（第３曲げ部３８ｃの前端）と当接して、化粧カバー２を位置決めするための位置決め片４６が突出する。
【００３０】
本例のカバー面部４４は、前の延出部分４２ｆの前端から下方に向かって略直角に折れ曲がる第４面部４４Ａと、この第４面部４４Ａの下端から段差面４４Ｂを介して連なる第５面部４４Ｃとを含む。第４面部４４Ａと第５面部４４Ｃとは略平行にのびる。又段差面４４Ｂは、第４面部４４Ａの下端から後方に向かって略直角に折れ曲がる。
【００３１】
本例の化粧カバー２は、第５面部４４Ｃの後面に、第５面部４４Ｃと軒樋３の前板部３１とが直接接触するのを防止する例えばクッション材からなる緩衝部材４５が配される。これにより、例えば風等によって化粧カバー２や軒樋３が振動し、互いに直接接触することによるノイズの発生等が防止される。
【００３２】
又化粧カバー２は、最も高所となる最高さ点Ｑと、この最高さ点Ｑから軒樋３の外部にのびる第１傾斜面５０と、最高さ点Ｑから軒樋３の内部にのびる第２傾斜面５１とを含む。
【００３３】
本例では、前記第３面部４２の後端（即ち、後の延出部分４２ｒの後端）が、最も高所となる最高さ点Ｑを形成する。又第３面部４２が、最高さ点Ｑから軒樋３の外部にのびる第１傾斜面５０を形成する。又継ぎ面部４３が、最高さ点Ｑから軒樋３の内部にのびる第２傾斜面５１を形成する。
【００３４】
この構造では、化粧カバー２上に降る雨を、最高さ点Ｑによって前後に振り分け、下方に流すことができる。これにより、雨水が、化粧カバー２の裏面側に回り込んで化粧カバー２を腐食させるのを抑制することができる。なお第１傾斜面５０に沿って流れる雨水は、本例では、第４面部４４Ａの下端Ｅ１、及び第５面部４４Ｃの下端Ｅ２で水切りされ、裏面側への回り込みが阻止される。又第２傾斜面５１に沿って流れる雨水は、本例では、第１面部４０の下端Ｅ３で水切りされ、裏面側への回り込みが阻止される。又前記下端Ｅ１、Ｅ２による水切りにより、軒樋３の前面が雨だれによって汚れるのを抑えることにも役立つ。
【００３５】
化粧カバー２は、例えばネジである固定具５３により、各第１ブラケット４に固定される。本例では、図４（Ｂ）に示すように、化粧カバー２の第２面部４１に、固定具挿通用の孔部５４が設けられる。この孔部５４のうち、両外側に配される孔部５４は、軒先方向に長い長穴５４Ａで形成される。もし長穴５４Ａでない場合、熱による化粧カバー２の寸法変化によって、化粧カバー２に反りが発生し、外観性を低下させる傾向がある。又寸法変化による応力が、固定部３５に作用して耐久性に悪影響を与える。しかし、両外側を長穴５４Ａとすることで、寸法変化を吸収させることができ、反りによる外観性の低下を抑えるとともに、固定部３５に作用する応力を減じて耐久性の向上に役立つ。
【００３６】
図４（Ａ）に示すように、化粧カバー２は、最外層をなすカバー本体２Ａと、その内側（裏面側）に添設される１枚以上（本例では２枚）の補強板２Ｂとからなる複数構造（本例では３層構造）で形成することができる。この場合、最内側の補強板２Ｂに、位置決め片４６が設けられる。カバー本体２Ａと補強板２Ｂとは、例えば、継ぎ面部４３を貫通する例えばリベット等の固定具４７により固定することができる。なお、化粧カバー２はカバー本体２Ａのみからなる１層構造で形成することもできる。
【００３７】
以上、本発明の特に好ましい実施形態について詳述したが、本発明は図示の実施形態に限定されることなく、種々の態様に変形して実施しうる。
【符号の説明】
【００３８】
１２化粧カバー
３軒樋
４、５ブラケット
６軒先
２１固定具
４５緩衝部材
５０第１傾斜面
５１第２傾斜面
Ｑ最高さ点
【図１】
2018168636.tif 000003
【図２】
2018168636.tif 000004
【図３】
2018168636.tif 000005
【図４】
2018168636.tif 000006
【図５】
2018168636.tif 000007
【図６】
2018168636.tif 000008